【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
使用者から少なくとも１つのチャネルを通じて受信された第１信号に対する信号タイプを決定する段階と、
前記使用者の動きをモニタリングする段階と、有し、
前記モニタリングする段階で、前記モニタリングされた動きが予め設定された閾値よりも低い場合、
前記第１信号から第２信号を提供する段階と、
前記第２信号を分割して第１信号セグメント及び第２信号セグメントを形成する段階と、
前記信号タイプに基づいて、前記第１信号セグメント及び前記第２信号セグメントを処理し、前記第１信号セグメント及び前記第２信号セグメントの各々に対する基準点を決定する段階と、を含み、
前記基準点を決定する段階は、
前記信号タイプがＢＣＧ（ｂａｌｌｉｓｔｏｃａｒｄｉｏｇｒａｐｈｙ）信号であると決定された場合、
前記第１信号セグメントから第１イベント位置を決定し、前記第１信号セグメントに対する前記基準点として前記第１イベント位置を識別する段階と、
前記第２信号セグメントから１つ以上の隣接点を前記第１信号セグメントに対する前記基準点にマッチングさせる段階と、
前記１つ以上の隣接点の中の１つを前記第１信号セグメントに対する前記基準点に対応する前記第２信号セグメントに対する基準点として選択し、前記基準点を利用して第３信号を生成する段階と、
を含むことを特徴とする方法。
【請求項２】
前記基準点は、極大及び極小の中の１つを決定することによって前記第１信号セグメント及び前記第２信号セグメントの各々に対して決定されることを特徴とする請求項１に記載の方法。
【請求項３】
前記第１信号がＥＣＧ（ｅｌｅｃｔｒｏｃａｒｄｉｏｇｒａｍ）信号又はＰＰＧ（ｐｈｏｔｏｐｌｅｔｈｙｓｍｏｇｒａｍ）信号であると決定された場合、前記第１信号は前処理されないため、前記第２信号は、前記第１信号と同様に提供され、前記信号タイプがＢＣＧ信号であると決定された場合、前記第２信号は、時間−ドメイン（ｔｉｍｅ−ｄｏｍａｉｎ）処理及び時間−周波数（ｔｉｍｅ−ｆｒｅｑｕｅｎｃｙ）処理の中の１つで前記第１信号を前処理することによって前記第２信号が提供されることを特徴とする請求項１に記載の方法。
【請求項４】
前記時間−ドメイン処理は、帯域通過フィルタリングを含むことを特徴とする請求項３に記載の方法。
【請求項５】
前記時間−周波数処理は、ウェーブレット係数再構成を含むことを特徴とする請求項３に記載の方法。
【請求項６】
前記第１信号を受信するために前記少なくとも１つのチャネルの中の１つの選択を確定する段階をさらに含むことを特徴とする請求項１に記載の方法。
【請求項７】
前記第１信号の一部を格納する段階をさらに含むことを特徴とする請求項１に記載の方法。
【請求項８】
前記第１信号セグメント及び前記第２信号セグメントを形成するために、ＴＤＥ（ｔｉｍｅ  ｄｅｌａｙ  ｅｍｂｅｄｄｉｎｇ）ビート検出及び適応形閾値（ａｄａｐｔｉｖｅ＿ｔｈｒｅｓｈｏｌｄｉｎｇ）ビート検出の中の１つを使用する段階をさらに含むことを特徴とする請求項１に記載の方法。
【請求項９】
第１信号セグメントと第２信号セグメントとをマッチングさせるために類似性マッチング技術を使用する段階をさらに含むことを特徴とする請求項１に記載の方法。
【請求項１０】
前記類似性マッチング技術は、ＤＴＷ（ｄｙｎａｍｉｃ  ｔｉｍｅ  ｗａｒｐｉｎｇ）方法及び相関方法の中の少なくとも１つを含むことを特徴とする請求項９に記載の方法。
【請求項１１】
前記ＤＴＷ方法に確率関数を適用して前記第１信号セグメント及び前記第２信号セグメントの部分に他の加重値を割当する段階をさらに含むことを特徴とする請求項１０に記載の方法。
【請求項１２】
前記第３信号が予め設定された閾値よりも低ければ、前記使用者から前記第１信号を受信するための新しいチャネルを選択する段階をさらに含み、
前記少なくとも１つのチャネルの中の任意のチャネルは、前記新しいチャネルであることを特徴とする請求項１に記載の方法。
【請求項１３】
使用者から第１信号を獲得するように構成された少なくとも１つのセンサと、
診断プロセッサと、を含み、
前記少なくとも１つのセンサは、少なくとも１つのチャネルを有し、前記第１信号は、前記少なくとも１つのチャネルの中の１つのチャネルから受信され、そして、前記少なくとも１つのセンサの中の少なくとも１つは、使用者の動きをモニタリングするように構成され、
前記診断プロセッサは、
前記モニタリングされた動きが予め設定された閾値よりも低い場合、
前記第１信号の信号タイプを決定し、
前記第１信号から第２信号を提供し、
前記第２信号を分割して第１信号セグメント及び第２信号セグメントを形成し、
前記信号タイプに基づいて、前記第１信号セグメント及び前記第２信号セグメントを処理し、前記第１信号セグメント及び前記第２信号セグメントの各々に対する基準点を決定し、
前記第１信号がＢＣＧ（ｂａｌｌｉｓｔｏｃａｒｄｉｏｇｒａｐｈｙ）信号であると決定された場合、前記診断プロセッサは、
前記第１信号セグメントから第１イベント位置を決定し、前記第１信号セグメントに対する前記基準点として前記第１イベント位置を識別し、
前記第２信号セグメントから１つ以上の隣接点を前記第１信号セグメントに対する前記基準点にマッチングさせ、
前記１つ以上の隣接点の中の１つを前記第１信号セグメントに対する前記基準点に対応する前記第２信号セグメントに対する基準点として選択し、前記基準点を利用して第３信号を生成することを特徴とするシステム。
【請求項１４】
前記使用者の身体位置情報を格納するように構成されたメモリをさらに含み、前記身体位置情報は、前記少なくとも１つのセンサによってモニタリングされる信号から前記診断プロセッサによって決定されることを特徴とする請求項１３に記載のシステム。
【請求項１５】
前記基準点は、極大及び極小の中の１つを決定することによって前記第１信号セグメント及び前記第２信号セグメントの各々に対して決定されることを特徴とする請求項１３に記載のシステム。
【請求項１６】
前記第１信号がＥＣＧ（ｅｌｅｃｔｒｏｃａｒｄｉｏｇｒａｍ）信号又はＰＰＧ（ｐｈｏｔｏｐｌｅｔｈｙｓｍｏｇｒａｍ）信号であると決定された場合、前記診断プロセッサは、前記第１信号を前処理しないように構成されているため、前記第２信号は、前記第１信号と同様に提供され、前記第１信号がＢＣＧ信号であると決定された場合、前記診断プロセッサは、時間−ドメイン（ｔｉｍｅ−ｄｏｍａｉｎ）処理及び時間−周波数（ｔｉｍｅ−ｆｒｅｑｕｅｎｃｙ）処理の中の１つで前記第１信号を前処理することによって前記第２信号を提供するように構成されることを特徴とする請求項１３に記載のシステム。
【請求項１７】
前記時間−ドメイン処理は、帯域通過フィルタリングを含み、前記時間−周波数処理は、ウェーブレット係数再構成を含むことを特徴とする請求項１６に記載のシステム。
【請求項１８】
前記診断プロセッサは、少なくとも１つのセンサから第１信号を受信するためのチャネルの選択を確定するように構成されることを特徴とする請求項１３に記載のシステム。
【請求項１９】
第１の信号の少なくとも一部を格納するように構成されたメモリをさらに備えることを特徴とする請求項１３に記載のシステム。
【請求項２０】
前記診断プロセッサは、前記第１信号セグメント及び前記第２信号セグメントを形成するために、ＴＤＥ（ｔｉｍｅ  ｄｅｌａｙ  ｅｍｂｅｄｄｉｎｇ）ビート検出及び適応形閾値（ａｄａｐｔｉｖｅ＿ｔｈｒｅｓｈｏｌｄｉｎｇ）ビート検出の中の１つを使用するように構成されていることを特徴とする請求項１３に記載のシステム。
【請求項２１】
前記診断プロセッサは、第１信号セグメントと第２信号セグメントとをマッチングさせるために類似性マッチング技術を使用するように構成されていることを特徴とする請求項１３に記載のシステム。
【請求項２２】
前記類似性マッチング技術は、ＤＴＷ（ｄｙｎａｍｉｃ  ｔｉｍｅ  ｗａｒｐｉｎｇ）方法及び相関方法の中の少なくとも１つを含むことを特徴とする請求項２１に記載のシステム。
【請求項２３】
前記診断プロセッサは、前記ＤＴＷ方法に確率関数を適用して前記第１信号セグメント及び前記第２信号セグメントの部分に他の加重値を割当するように構成されていることを特徴とする請求項２２に記載のシステム。
【請求項２４】
前記診断プロセッサは、前記第３信号が予め設定された閾値よりも低ければ、前記使用者から前記第１信号を受信するための少なくとも１つにセンサからチャネルを選択するように構成されていることを特徴とする請求項１３に記載のシステム。